(57)【要約】【課題】小型の像ブレ補正装置を提供する。【解決手段】像ブレ補正装置は、光軸と直交する方向にレンズを移動可能に保持する保持部材と、保持部材に取り付けられ、不要な光線を遮る第１の遮光部材とを有し、第１の遮光部材には、貫通穴が形成されており、貫通穴は、第１の遮光部材を保持部材に取り付けることにより塞がれている。【選択図】図６（ｂ）
2016099443.tif 000002
【特許請求の範囲】
【請求項１】
光軸と直交する方向にレンズを移動可能に保持する保持部材と、
前記保持部材に取り付けられ、不要な光線を遮る第１の遮光部材と、を有し、
前記第１の遮光部材には、貫通穴が形成されており、
前記貫通穴は、前記第１の遮光部材を前記保持部材に取り付けることにより塞がれている、ことを特徴とする像ブレ補正装置。
【請求項２】
前記第１の遮光部材は、前記保持部材に係止される受け部を有し、
前記第１の遮光部材は、前記受け部を介して前記保持部材に取り付けられていることを特徴とする請求項１に記載の像ブレ補正装置。
【請求項３】
前記第１の遮光部材の前記貫通穴および前記受け部は、該第１の遮光部材の最外径よりも内側に設けられていることを特徴とする請求項２に記載の像ブレ補正装置。
【請求項４】
前記第１の遮光部材の前記貫通穴および前記受け部は、該第１の遮光部材の周方向および径方向において同じ位置に設けられていることを特徴とする請求項２または３に記載の像ブレ補正装置。
【請求項５】
前記保持部材は、前記第１の遮光部材を係止する係止部を有し、
前記第１の遮光部材は、前記係止部を介して前記保持部材に取り付けられることを特徴とする請求項１乃至４のいずれか１項に記載の像ブレ補正装置。
【請求項６】
前記第１の遮光部材の前記受け部は、スナップフィット構造により、前記保持部材の前記係止部に係止されていることを特徴とする請求項５に記載の像ブレ補正装置。
【請求項７】
前記第１の遮光部材は、固定絞りであることを特徴とする請求項１乃至６のいずれか１項に記載の像ブレ補正装置。
【請求項８】
不要な光線を遮る第２の遮光部材を更に有し、
光軸方向から見た場合、前記第２の遮光部材の少なくとも一部は、前記第１の遮光部材と重なっていることを特徴とする請求項１乃至７のいずれか１項に記載の像ブレ補正装置。
【請求項９】
前記保持部材が前記光軸と直交する方向に移動した状態でも、前記光軸方向から見た場合、前記第２の遮光部材の少なくとも一部は、常に、前記第１の遮光部材と重なっていることを特徴とする請求項８に記載の像ブレ補正装置。
【請求項１０】
前記第１の遮光部材は、前記第２の遮蔽部材よりも被写体側に位置していることを特徴とする請求項８または９に記載の像ブレ補正装置。
【請求項１１】
前記第２の遮光部材は、所定の温度以上の融点を有する材料からなるカバーであることを特徴とする請求項８乃至１０のいずれか１項に記載の像ブレ補正装置。
【請求項１２】
前記第２の遮光部材は、磁界を検出するホール素子を実装し、かつコイルユニットへの給電を行うフレキシブル基板を覆っていることを特徴とする請求項８乃至１１のいずれか１項に記載の像ブレ補正装置。
【請求項１３】
前記第１の遮蔽部材は、太陽光の集光位置を避けるように配置されていることを特徴とする請求項１乃至１２のいずれか１項に記載の像ブレ補正装置。
【請求項１４】
請求項１乃至１３のいずれか１項に記載の像ブレ補正装置を有することを特徴とするレンズ鏡筒。
【請求項１５】
請求項１４に記載のレンズ鏡筒と、
前記レンズ鏡筒を介して形成された光学像を光電変換する撮像素子と、を有することを特徴とする撮像装置。
【発明の詳細な説明】
【技術分野】
【０００１】
本発明は、レンズ鏡筒およびこれを備えたデジタルカメラやビデオカメラなどの撮像装置に関する。
【背景技術】
【０００２】
従来から、手振れなどに起因する像ブレを補正するため、像ブレ補正用のレンズを光軸と直交する平面内でシフト（移動）させる像ブレ補正装置（光学防振ユニット）が知られている。また、撮像に不要な光線がレンズ鏡筒の内部で反射して想定外の光が写真に写ることを回避するため、レンズの近傍に遮光部材が設置されることが多い。特許文献１には、像ブレ補正装置に関し、遮光部材としてドーナツ形状の部品をレンズ保持枠にスナップフィット構造で固定する構成が開示されている。
【先行技術文献】
【特許文献】
【０００３】
【特許文献１】特開２０１０−１６４９２６号公報
【発明の概要】
【発明が解決しようとする課題】
【０００４】
しかしながら、特許文献１の構成では、スナップフィット構造部が遮光部材（レンズ保持枠）の最外径部に位置している。このため、レンズ保持枠が像ブレ補正により駆動された状態で、スナップフィット構造部が周囲の部品と干渉しないように多くのスペースを確保する必要がある。その結果、像ブレ補正装置のサイズが大きくなってしまう。
【０００５】
そこで本発明は、小型の像ブレ補正装置、レンズ鏡筒、および、撮像装置を提供する。
【課題を解決するための手段】
【０００６】
本発明の一側面としての像ブレ補正装置は、光軸と直交する方向にレンズを移動可能に保持する保持部材と、前記保持部材に取り付けられ、不要な光線を遮る第１の遮光部材とを有し、前記第１の遮光部材には、貫通穴が形成されており、前記貫通穴は、前記第１の遮光部材を前記保持部材に取り付けることにより塞がれている。
【０００７】
本発明の他の側面としてのレンズ鏡筒は、前記像ブレ補正装置を有する。
【０００８】
本発明の他の側面としての撮像装置は、前記レンズ鏡筒と、前記レンズ鏡筒を介して形成された光学像を光電変換する撮像素子とを有する。
【０００９】
本発明の他の目的及び特徴は、以下の実施例において説明される。
【発明の効果】
【００１０】
本発明によれば、小型の像ブレ補正装置、レンズ鏡筒、および、撮像装置を提供することができる。
【図面の簡単な説明】
【００１１】
【図１】本実施形態におけるレンズ鏡筒の断面図である。
【図２】本実施形態におけるレンズ鏡筒の分解斜視図である。
【図３】本実施形態における第２鏡筒の分解斜視図である。
【図４（ａ）】本実施形態における保持枠（第２群保持枠）および遮光部材の分解斜視図である。
【図４（ｂ）】図４（ａ）の補助投影図である。
【図４（ｃ）】図４（ｂ）中に示される領域Ｄ１の拡大図である。
【図５（ａ）】本実施形態における遮光部材の正面図である。
【図５（ｂ）】図５（ａ）中の線Ｓ−Ｓに沿った断面図である。
【図６（ａ）】本実施形態における第２鏡筒の断面図である。
【図６（ｂ）】図６（ａ）中の領域Ｄ２の拡大図である。
【図７】本実施形態における撮像装置の斜視図である。
【発明を実施するための形態】
【００１２】
以下、本発明の実施形態について、図面を参照しながら詳細に説明する。
【００１３】
まず、図７を参照して、本実施形態における撮像装置について説明する。図７は、本実施形態における撮像装置（デジタルカメラ１０）の斜視図であり、図７（ａ）は本実施形態におけるレンズ鏡筒１００を備えたデジタルカメラ１０を示し、図７（ｂ）は図１（ａ）に示されるデジタルカメラ１０の外装を取り除いた状態を示している。
【００１４】
図７に示されるように、デジタルカメラ１０の前方には、沈胴式のレンズ鏡筒１００が設けられている。メイン基板１４からズームＦＰＣ７２を介してズーム駆動装置７３に通電することにより、レンズ鏡筒１００の沈胴動作およびズーム動作が可能である。なお、またデジタルカメラ１０は、メイン基板１４から不図示の撮像ＦＰＣを介して図２に示される撮像素子７０に通電接続されるように構成されている。撮像素子７０は、レンズ鏡筒１００（レンズ群）を介して形成される光学像（被写体像）を光電変換して画像信号を出力する。
【００１５】
次に、図１および図２を参照して、本実施形態におけるレンズ鏡筒の構成について説明する。図１は、本実施形態におけるレンズ鏡筒１００の断面図である。図２は、レンズ鏡筒１００の分解斜視図である。１は、第１レンズ群Ｌ１を保持する第１鏡筒である。第１鏡筒１には、その内周面の下方（結像面側）において、３つのカムピン１ａが配置されている。カムピン１ａは、カム筒５の外周面に形成されたカム溝５ａに係合している。また第１鏡筒１の内周面には、３つの直進溝（不図示）が形成されている。第１鏡筒１に形成された直進溝は、直進筒４の外周面の上端（被写体側）に形成された直進キー４ａに係合している。
【００１６】
２は、第２レンズ群Ｌ２を保持する第２鏡筒である。第２鏡筒２には、その外周面の下方（結像面側）において、３つのカムピン２ａが配置されている。カムピン２ａは、カム筒５の内周面に形成されたカム溝５ｂに係合している。また第２鏡筒２には、カムピン２ａと同一の箇所において、直進キー２ｂが形成されている。第２鏡筒２に形成された直進キー２ｂは、直進筒４に形成された直進溝４ｂに係合している。カム筒５には、その内周面の上方（被写体側）において、カム溝５ｃが形成されている。カム溝５ｃには、直進筒４の外周面の上方（被写体側）に配置された３つのカムピン４ｃが係合している。
【００１７】
第１鏡筒１および第２鏡筒２は、直進筒４に対して光軸ＯＡの周りに回転しないように支持されている。不図示の駆動装置によりカム筒５が回転すると、カム筒５に形成されたカム溝５ｃと直進筒４に設けられたカムピン４ｃとの作用により、カム筒５は回転しながら光軸ＯＡの方向（光軸方向）に移動する。このように、第１鏡筒１は、第１鏡筒１のカムピン１ａとカム筒５のカム溝５ａとの作用、および、第１鏡筒１の直進溝１ｂと直進筒４の直進キー４ａとの作用により、回転することなく光軸方向に移動する。また第２鏡筒２は、第２鏡筒２のカムピン２ａとカム筒５のカム溝５ｂとの作用、および、第２鏡筒２の直進キー２ｂと直進筒４の直進溝４ｂとの作用により、回転することなく光軸方向に移動する。
【００１８】
３は、第３レンズ群Ｌ３を保持する保持枠（第３群保持枠）である。保持枠３に形成された位置決め部３ａおよび振れ止め部３ｂは、固定地板６に配置されたガイドバー６ａ、６ｂにそれぞれ係合し、保持枠３は光軸方向に移動可能に支持されている。不図示の駆動装置により保持枠３が駆動されると、位置決め部３ａおよび振れ止め部３ｂとガイドバー６ａ、６ｂとの作用により、保持枠３は、回転することなく光軸方向に移動する。撮像素子７０および光学フィルタＬ０は、固定地板６に保持されている。また直進筒４は、不図示のビスにより固定地板６に固定されている。
【００１９】
次に、図３を参照して、本実施形態における像ブレ補正装置を備えた第２鏡筒２の構成について説明する。図３は、本実施形態における像ブレ補正装置を備えた第２鏡筒２の分解斜視図である。図３において、２１は、第２レンズ群Ｌ２（補正レンズ）を保持する保持部材としての保持枠（第２群保持枠）である。保持枠２１には、マグネット２１Ａ１、２１Ａ２、２１Ｂ１、２１Ｂ２が一体的に保持されている。また保持枠２１には、４箇所にフック係止部２１ａ、２１ｂ、２１ｃ、２１ｄが設けられている。フック係止部２１ａ、２１ｂ、２１ｃ、２１ｄには、引張り力を作用させるバネ２５ａ、２５ｂ、２５ｃ、２５ｄ（コイルバネ）が掛けられる。
【００２０】
２９は、不要光をカットする固定絞り（遮光部材）である。固定絞り２９は、保持枠２１に固定されている。２３Ａ１、２３Ａ２、２３Ｂ１、２３Ｂ２は、コイルとボビンとを有するコイルユニットである。コイルユニット２３Ａ１、２３Ａ２、２３Ｂ１、２３Ｂ２は、地板２２（第２群地板）の窪みに接着固定されている。コイルへの給電は、ボビンに埋設され、コイルと電気的に接続された金属ピンに対して、ＦＰＣ２７（フレキシブルプリント基板）を介して行われる。ＦＰＣ２７には、コイルユニットと半田接続するランドが設けられている。また、ＦＰＣ２７の裏面には、磁界を検出するホール素子（不図示）が実装されている。
【００２１】
保持枠２１に掛けられた４本のバネ２５ａ、２５ｂ、２５ｃ、２５ｄの他端は、地板２２の４つのフック係止部（フック係止部２２ｄ以外は不図示）に掛けられている。地板２２と保持枠２１との間には、３つの非磁性のボール２４ａ、２４ｂ、２４ｃが挟まれている。そして保持枠２１は、地板２２に向かってボール２４ａ、２４ｂ、２４ｃを介して押圧された状態になっている。このように保持枠２１は、ボール２４ａ、２４ｂ、２４ｃを介して地板２２に押圧されているため、光軸ＯＡに直交する平面内（光軸直交面内）において、自由に移動することが可能である。本実施形態の像ブレ補正装置は、保持枠２１を光軸直交面内において移動させることにより、撮像素子７０上の像ブレを低減（補正）することができる。
【００２２】
保持枠２１に保持されるマグネット２１Ａ１、２１Ａ２、２１Ｂ１、２１Ｂ２は、後述の図４（ａ）に示される方向に着磁されている。保持枠２１の移動（移動量）は、ホール素子により検出された磁界の変化（変化量）に基づいて算出される。マグネット２１Ａ１、２１Ｂ１とホール素子との位置精度は重要である。このためホール素子は、センサ支持枠２６に圧入されて高精度に位置決めされるように構成されている。
【００２３】
ＦＰＣ２７は、位置決め穴２７ａ、２７ｂとセンサ支持枠２６の位置決め突起２６ａ、２６ｂとの係合により固定される。センサ支持枠２６は、地板２２に取り付けられる。そして、カバー２８（第２群カバー）を不図示のバヨネット構造で地板２２に固定することにより、センサ支持枠２６は地板２２に固定される。
【００２４】
次に、図４（ａ）〜図４（ｃ）、図５（ａ）、および、図５（ｂ）を参照して、保持枠２１に固定される固定絞り２９について説明する。図４（ａ）は、本実施形態における保持枠２１（第２群保持枠）および固定絞り２９（第１の遮光部材）の分解斜視図である。図４（ｂ）は、図４（ａ）の補助投影図である。図４（ｃ）は、図４（ｂ）中に示される領域Ｄ１の拡大図である。図５（ａ）は、固定絞り２９の正面図である。図５（ｂ）は、図５（ａ）中の線Ｓ−Ｓに沿った断面図である。
【００２５】
固定絞り２９は、保持枠２１に固定されており、不要光をカットする。また固定絞り２９は、第２レンズ群Ｌ２を保持枠２１に接着するための接着剤Ａ１、Ａ２、Ａ３、Ａ４を覆い隠し、接着剤Ａ１、Ａ２、Ａ３、Ａ４の領域から漏れる光線を遮蔽する。また固定絞り２９には、結像面側かつその最外径部よりも内側において、４つの受け部２９ａ、２９ｂ、２９ｃ、２９ｄが形成されている。固定絞り２９の受け部２９ａ、２９ｂ、２９ｃ、２９ｄは、保持枠２１における第２レンズ群Ｌ２の外周部に形成された係合部２１ｅ、２１ｆ、２１ｇ、２１ｈに、それぞれ、スナップフィット構造で係合している。
【００２６】
図４（ｃ）に示されるように、固定絞り２９において、貫通穴２９ｅ、２９ｆ、２９ｇ、２９ｈは、受け部２９ａ、２９ｂ、２９ｃ、２９ｄのそれぞれと同じ位置（またはその近傍）に形成されている。このような構成により、固定絞り２９を保持枠２１に固定する際に、受け部２９ａ、２９ｂ、２９ｃ、２９ｄの位相を容易に識別することができる。またこのような構成により、図５（ｂ）に示されるように、固定絞り２９を成型する金型を、固定側（被写体側）および可動側（結像面側）のみの簡易な構造にして、受け部２９ａ、２９ｂ、２９ｃ、２９ｄを形成することができる。
【００２７】
固定絞り２９が保持枠２１に固定されると、固定絞り２９の貫通穴２９ｅ、２９ｆ、２９ｇ、２９ｈは、保持枠２１の係合部２１ｅ、２１ｆ、２１ｇ、２１ｈによりそれぞれ塞がれる。このため、貫通穴２９ｅ、２９ｆ、２９ｇ、２９ｈからの光線漏れが遮蔽される。固定絞り２９の貫通穴２９ｅ、２９ｆ、２９ｇ、２９ｈが保持枠２１の係合部２１ｅ、２１ｆ、２１ｇ、２１ｈによりそれぞれ塞がれると、係合部２１ｅ、２１ｆ、２１ｇ、２１ｈの被写体側の表面の位置は、固定絞り２９の被写体側の表面の位置と揃う。このため、後述するように外観の見栄が損なわれることはない。本実施形態において、固定絞り２９の被写体側の表面は三角波状であり、係合部２１ｅ、２１ｆ、２１ｇ、２１ｈの被写体側の表面も同様に三角波状である。
【００２８】
次に、図１、図６（ａ）、および、図６（ｂ）を参照して、地板２２（第２群地板）に固定されるカバー２８（第２群カバー）について説明する。図６（ａ）は、第２鏡筒２の断面図である。図６（ｂ）は、図６（ａ）中の領域Ｄ２の拡大図である。
【００２９】
図１において、左下方向から太陽光Ｒ１が第１レンズ群Ｌ１に入射した場合、太陽光Ｒ１は、第１レンズ群Ｌ１により屈曲され、太陽光Ｒ２（光線）となり、第２鏡筒２の領域Ｐの付近で集光し、高温を発する。本実施形態では、第２鏡筒２の領域Ｐを含む位置には、太陽光Ｒ２の集光に耐える融点を有する板金で形成されたカバー２８が固定されている。このため、太陽光Ｒ２がカバー２８に集光しても、カバー２８が変形することはない。またカバー２８は、熱伝達の小さいステンレス部材を用いることが可能であるため、カバー２８を固定する固定部周辺への変形による影響は小さく、太陽光Ｒ２の集光に起因する局所的な温度上昇に対して効果的である。
【００３０】
またカバー２８は、センサ支持枠２６およびＦＰＣ２７を覆い隠すように構成されている。仮にカバー２８が設けられていない場合、第１レンズ群Ｌ１はポジティブレンズであるため、第２鏡筒２の前面（被写体側）が見えてしまい、センサ支持枠２６およびＦＰＣ２７はレンズ鏡筒１００の外観として、製品の品位を損ねる可能性がある。本実施形態では、カバー２８で太陽光Ｒ２の集光による第２鏡筒２の変形を防止するとともに、センサ支持枠２６およびＦＰＣ２７を覆い隠すことにより、簡易な構成で外観の見栄を損なわないように構成することができる。
【００３１】
図６（ｂ）において、カバー２８および固定絞り２９は、光軸方向から見た場合にＬ部が重なっており、光軸方向において若干の隙間を有して対向して配置されている。保持枠２１が像ブレ補正駆動により移動した状態でも、カバー２８と固定絞り２９とは常時、互いに光軸方向において重なっている。このため、不要光線の通過を効果的に低減することができる。固定絞り２９は、保持枠２１が像ブレ補正駆動により移動した状態でも、太陽光Ｒ２が集光する第２鏡筒２の部位Ｐの近傍に固定絞り２９が位置しないような外径（最外径部）を有する。またカバー２８は、光軸方向において、固定絞り２９に対して結像面側に位置しており、第２鏡筒２のサイズを大きくすることなく遮光の効果を得ることができる。
【００３２】
また、固定絞り２９の受け部２９ａ、２９ｂ、２９ｃ、２９ｄは、光軸方向においてカバー２８を横切って突き出ている。受け部２９ａ、２９ｂ、２９ｃ、２９ｄが固定絞り２９の最外径部に形成されている場合、保持枠２１が像ブレ補正駆動で移動した状態で受け部２９ａ、２９ｂ、２９ｃ、２９ｄがカバー２８と干渉しないようにカバー２８を切り欠く必要がある。カバー２８を切り欠くと、カバー２８と固定絞り２９とを常時重なり合うように構成することができず、不要光線の通過を効果的に低減することができない。そこで本実施形態では、固定絞り２９のスナップフィット構造の受け部２９ａ、２９ｂ、２９ｃ、２９ｄを、固定絞り２９の最外径部よりも内側に配置している。その結果、カバー２８を切り欠くことなく、固定絞り２９および第２鏡筒２の小型化を実現している。
【００３３】
このように本実施形態において、像ブレ補正装置は、保持部材（保持枠２１）および第１の遮光部材（固定絞り２９）を有する。保持部材は、光軸ＯＡと直交する方向に（光軸直交面内で）レンズ（補正レンズとしての第２レンズ群Ｌ２）を移動可能に保持する。第１の遮光部材は、保持部材に取り付けられ、不要な光線を遮る。また第１の遮光部材には、貫通穴２９ｅ、２９ｆ、２９ｇ、２９ｈが形成されている。そして貫通穴２９ｅ、２９ｆ、２９ｇ、２９ｈは、第１の遮光部材を保持部材に取り付けることにより塞がれている。
【００３４】
好ましくは、第１の遮光部材は、保持部材に係止される受け部２９ａ、２９ｂ、２９ｃ、２９ｄを有する。そして第１の遮光部材は、受け部２９ａ、２９ｂ、２９ｃ、２９ｄを介して保持部材に取り付けられている。より好ましくは、第１の遮光部材の貫通穴２９ｅ、２９ｆ、２９ｇ、２９ｈおよび受け部２９ａ、２９ｂ、２９ｃ、２９ｄは、第１の遮光部材の最外径よりも内側（最外径よりも光軸ＯＡに近い位置）に設けられている。また好ましくは、第１の遮光部材の貫通穴２９ｅ、２９ｆ、２９ｇ、２９ｈおよび受け部２９ａ、２９ｂ、２９ｃ、２９ｄは、第１の遮光部材の周方向および径方向において同じ位置（略同一の位置、または近傍の位置）に設けられている。
【００３５】
好ましくは、保持部材は、第１の遮光部材を係止する係止部２１ｅ、２１ｆ、２１ｇ、２１ｈを有する。そして第１の遮光部材は、係止部２１ｅ、２１ｆ、２１ｇ、２１ｈを介して保持部材に取り付けられている。より好ましくは、第１の遮光部材の受け部２９ａ、２９ｂ、２９ｃ、２９ｄは、スナップフィット構造により、保持部材の係止部２１ｅ、２１ｆ、２１ｇ、２１ｈに係止されている。
【００３６】
好ましくは、像ブレ補正装置は、不要光線を遮る第２の遮光部材（カバー２８）を更に有する。光軸方向から見た場合、第２の遮光部材の少なくとも一部は、第１の遮光部材と重なっている。より好ましくは、保持部材が光軸と直交する方向に移動した状態でも、光軸方向から見た場合、第２の遮光部材の少なくとも一部は、常に、第１の遮光部材と重なっている。また好ましくは、第１の遮光部材は、第２の遮蔽部材よりも被写体側に位置している。
【００３７】
好ましくは、第２の遮光部材は、所定の温度以上の融点（太陽光の集光に耐える融点）を有する材料からなるカバー２８である。また好ましくは、第２の遮光部材は、磁界を検出するホール素子を実装し、かつコイルユニットへの給電を行うフレキシブル基板を覆っている。また好ましくは、第１の遮蔽部材は、（保持部材が光軸と直交する方向に移動した状態でも、）太陽光の集光位置を避けるように配置されている。
【００３８】
本実施形態によれば、小型の像ブレ補正装置、レンズ鏡筒、および、撮像装置を提供することができる。
【００３９】
以上、本発明の好ましい実施形態について説明したが、本発明はこれらの実施形態に限定されず、その要旨の範囲内で種々の変形及び変更が可能である。
【００４０】
例えば、本実施形態では、カバー２８はステンレス部材から構成されるが、これに限定されるものではない。太陽光Ｒ２が第２鏡筒２に集光することを低減する材料であれば、樹脂材料などの他の材料を用いてカバー２８を構成してもよい。また本実施形態は、レンズ鏡筒１００が一体的に構成されたデジタルカメラ１０について説明したが、これに限定されるものではない。本実施形態は、レンズ鏡筒（交換レンズとしてのレンズ装置）が、撮像素子を備えた撮像装置本体に対して着脱可能な構成についても適用可能である。
【符号の説明】
【００４１】
Ｌ２  第２レンズ群（レンズ）
２１  保持枠（保持部材）
２９  固定絞り（第１の遮光部材）
２９ｅ、２９ｆ、２９ｇ、２９ｈ  貫通穴
【図１】
2016099443.tif 000003
【図２】
2016099443.tif 000004
【図３】
2016099443.tif 000005
【図４（ａ）】
2016099443.tif 000006
【図４（ｂ）】
2016099443.tif 000007
【図４（ｃ）】
2016099443.tif 000008
【図５（ａ）】
2016099443.tif 000009
【図５（ｂ）】
2016099443.tif 000010
【図６（ａ）】
2016099443.tif 000011
【図６（ｂ）】
2016099443.tif 000012
【図７】
2016099443.tif 000013